(57)【要約】【課題】  装置本体と原稿給送装置との間に介設されたコードが外部に露出していることの見苦しさを解消した上で、コードとその周りの人を含めた環境との干渉を回避することができるようにする。【解決手段】  内部に画像形成部１３を備えた装置本体１１と、この装置本体１１の上面に原稿を給紙する開閉可能な原稿給送装置２０とを備えてなる複写機１０に関し、原稿給送装置２０の装置本体１１に対する回動支点近傍に両者を電気的に接続する接続コードＣが配線され、接続コードＣは、カバー体４０によって覆われている。【選択図】      図３
2005300796.tif 000002
【特許請求の範囲】
【請求項１】
内部に画像形成部を備えた装置本体と、この装置本体の上面に原稿を給紙する開閉可能な原稿給送装置とを備えてなる画像形成装置であって、前記原稿給送装置は、装置本体上面の一側辺に設けられた回動支点回りに回動して開閉自在に装置本体に取り付けられ、前記回動支点近傍に原稿給送装置と装置本体とを電気的に接続するコードが配線され、前記コードは、着脱自在に前記装置本体に装着される外装部材によって覆われていることを特徴とする画像形成装置。
【請求項２】
前記装置本体の上面における前記原稿給送装置より背面側に前記コードを通す本体側開口が設けられている一方、前記原稿給送装置の背面には、前記本体側開口に対応してコードを通す原稿給送装置側開口が設けられ、前記外装部材は、前記本体側開口を覆い、かつ、原稿給送装置が開放された状態で前記原稿給送装置側開口に相対的に嵌り込むとともに、原稿給送装置が閉じられた状態で前記原稿給紙装置側開口を覆うように形状設定されていることを特徴とする請求項１記載の画像形成装置。
【請求項３】
前記本体側開口は、装置本体の縁部に沿って横長に形成されている一方、前記原稿給送装置側開口は、縦長に形成され、前記外装部材は、これら本体側開口および原稿給送装置側開口に対応し得るように逆Ｔ字状またはＬ字状に形状設定されていることを特徴とする請求項２記載の画像形成装置。
【請求項４】
前記装置本体内における前記本体側開口に臨む位置には、前記コードの接続端子が接続されるコネクタが設けられていることを特徴とする請求項２または３記載の画像形成装置。
【発明の詳細な説明】
【技術分野】
【０００１】
本発明は、画像形成部の内装された装置本体の上面に原稿を自動的に給紙し得る機能を備えた原稿給送装置が設けられてなる画像形成装置に関するものである。
【背景技術】
【０００２】
複写機などの画像形成装置は、箱形を呈した装置本体内に原稿画像を用紙に転写する画像形成部や用紙を貯留する用紙貯留部が設けられているとともに、装置本体の上面に原稿給送装置が開閉自在に取り付けられることによって構成されている。装置本体の上面開口にはコンタクトガラスが嵌め込まれているとともに、装置本体内にはコンタクトガラスを介して原稿画像を光学的に読み取る光学系が設けられている。
【０００３】
このような画像形成装置においては、コンタクトガラスに原稿を給紙する方式としてマニュアル給紙と自動給紙との２種類がある。マニュアル給紙においては、原稿は、原稿給送装置を開いてコンタクトガラス上に載置される。引き続き原稿給送装置を閉じた状態で原稿面がコンタクトガラスを介して光源からの光で走査され、その反射光で原稿情報が読み取られる。これに対し自動給紙においては、原稿給送装置を閉じた状態で当該原稿給送装置に設けられた給紙トレイに原稿の束が載置される。この状態でスタートボタンが押下されることにより、給紙トレイ上の原稿束から原稿が１枚ずつコンタクトガラス上に給紙されて原稿画像が読み取られるようになっている。
【０００４】
したがって、マニュアル給紙の場合は、特に原稿給送装置に電力を供給する必要はないが、自動給紙の場合は、原稿をコンタクトガラス上に送り込むための駆動機構に電力を供給する必要があり、そのため装置本体から原稿給送装置に向けて電力供給用のコードが延設されている。
【０００５】
かかるコードに関するものとして、例えば特許文献１および特許文献２に記載されたものが知られている。特許文献１には、装置本体の背面にコード類を収容するための凹部を形成し、この凹部に各種のコード類をまとめて収容することで装置本体の背面を据え付け位置の壁面に密着させることが可能になり、デッドスペースをなくすことができると記載されている（段落〔００２４〕）。
【０００６】
また、特許文献２には、装置本体の外壁面に凹部を設け、この凹部に装置本体と原稿押さえとの間に介設されたコードを収容するとともに、当該凹部内のコードをフックで止めることにより、原稿給送装置の開閉動作の際にコードが大きく振れることが抑制され、コードの壁に対する擦過をなくすことができると記載されている（段落〔００１４〕）。
【特許文献１】特開平８−３３９１０３号公報
【特許文献２】特開平１１−２０２５６７号公報
【発明の開示】
【発明が解決しようとする課題】
【０００７】
ところで、特許文献１に記載のものにあっては、装置本体側のコード類については当該装置本体に設けられた凹部に収容することでコード類が乱雑に装置外にはみ出すことが防止されるが、装置本体と原稿押さえとの間に設けられた接続コードについては考慮されていない（特許文献１の図８参照）ため、原稿抑えの開閉動作でこの接続コードが揺動して邪魔になったり、壁面と擦過して破損したりするという不都合が生じる。
【０００８】
これに対し、特許文献２のものは、装置本体と原稿給送装置との間に介設された接続コードは、フックによって装置本体に止められているため、原稿給送装置の開閉動作による動きは少なく抑えられてはいるが、コードが外部に露出していることで決して見栄えがよいとは言い難い（特許文献２の図２参照）。また、装置本体の最上位置のフックと原稿給送装置との間に位置したコードは、外部に露出したままであるため、原稿給送装置の開閉動作で撓んだり元に復元したりすることが繰り返されることによる壁面との間欠的な接触で破損し易くなったり、オペレータが引っ掛かって接続コードが外れたりするという不都合を確実に回避し得ないという問題点が存在する。
【０００９】
本発明は、かかる状況に鑑みなされたものであって、装置本体と原稿給送装置との間に介設されたコードが外部に露出していることの見苦しさを解消した上で、コードとその周りの人を含めた環境との干渉を回避することが可能な画像形成装置を提供することを目的としている。
【課題を解決するための手段】
【００１０】
請求項１記載の発明は、内部に画像形成部を備えた装置本体と、この装置本体の上面に原稿を給紙する開閉可能な原稿給送装置とを備えてなる画像形成装置であって、前記原稿給送装置は、装置本体上面の一側辺に設けられた回動支点回りに回動して開閉自在に装置本体に取り付けられ、前記回動支点近傍に原稿給送装置と装置本体とを電気的に接続するコードが配線され、前記コードは、着脱自在に前記装置本体に装着される外装部材によって覆われていることを特徴とするものである。
【００１１】
かかる構成を採用すれば、装置本体の上面に設けられた原稿給送装置を開閉操作しても、原稿給送装置の装置本体に対する回動支点近傍に配線された、原稿給送装置と装置本体とを電気的に接続するコードが外装部材によって覆われているため、この外装部材が保護部材としての役割を果たすことにより、保護されたコードの人を含めた周りの環境に対する干渉や擦過が防止される。
【００１２】
請求項２記載の発明は、請求項１記載の発明において、前記装置本体の上面における前記原稿給送装置より背面側に前記コードを通す本体側開口が設けられている一方、前記原稿給送装置の背面には、前記本体側開口に対応してコードを通す原稿給送装置側開口が設けられ、前記外装部材は、前記本体側開口を覆い、かつ、原稿給送装置が開放された状態で前記原稿給送装置側開口に相対的に嵌り込むとともに、原稿給送装置が閉じられた状態で前記原稿給紙装置側開口を覆うように形状設定されていることを特徴とするものである。
【００１３】
かかる構成を採用すれば、外装部材は、装置本体の上面における原稿給送装置より背面側に設けられたコードを通す本体側開口および前記原稿給送装置の背面に設けられたコードを通す原稿給送装置側開口の双方を覆うため、これらの開口が外部に露出することによる見苦しさが解消される。
【００１４】
また、外装部材は、原稿給送装置が開放された状態で原稿給送装置側開口に相対的に嵌り込むように形状設定されているため、外観視の見栄えの良さを確保した上で、外装部材が原稿給送装置と干渉して原稿給送装置を開放し得なくなるような不都合の発生が防止される。
【００１５】
請求項３記載の発明は、請求項２記載の発明において、前記本体側開口は、装置本体の縁部に沿って横長に形成されている一方、前記原稿給送装置側開口は、縦長に形成され、前記外装部材は、これら本体側開口および原稿給送装置側開口に対応し得るように逆Ｔ字状またはＬ字状に形状設定されていることを特徴とするものである。
【００１６】
このように本体側開口を装置本体の縁部に沿って横長に形成することにより、当該本体側開口は、装置本体内から引出されたコードを無理なく通し得るものになるとともに、開閉操作で変化するコードの姿勢を無理なく受容する。
【００１７】
また、外装部材は、これを本体側開口および原稿給送装置側開口に対応し得るように逆Ｔ字状またはＬ字状に形状設定されているため、原稿給送装置の開放によって外装部材を原稿給送装置側開口内に逃し得るようにすることが容易に可能になり、原稿給送装置を外装部材との干渉で開放し得なくなるような不具合の発生が生じない。
【００１８】
請求項４記載の発明は、請求項２または３記載の発明において、前記装置本体内における前記本体側開口に臨む位置に前記コードの接続端子が接続されるコネクタが設けられていることを特徴とするものである。
【００１９】
かかる構成を採用すれば、外装部材を装置本体から取り外した状態で、原稿給送装置から引き延ばされたコードの接続端子をコネクタに接続することにより、原稿給送装置が基板を介して装置本体に対し電気的に接続される。
【発明の効果】
【００２０】
請求項１記載の発明によれば、装置本体の上面に設けられた原稿給送装置を開閉操作しても、原稿給送装置の前記装置本体に対する回動支点近傍に配線された両者を電気的に接続するコードが外装部材によって覆われているため、従来のコードが外部に露出している場合に比べて外観視が見苦しくなるような不都合が解消され、これによって画像形成装置の見栄えを良好にすることができる。
【００２１】
また、外装部材が保護部材としての役割を果たすため、原稿給送装置を開閉しても、外装部材に保護されたコードは、画像形成装置の設置位置における周りの壁面など、周りの環境に対して擦過することが防止されるため、かかる擦過でコードが破損するような不都合の発生を確実に防止することができる。
【００２２】
さらに、オペレータが外部に露出したコードに引っ掛かってコードの先端の接続端子と装置本体あるいは原稿給送装置の接続端子との接続状態が不良になったり、コードが外れてしまったり、さらにはコードが断線するような不具合の発生をも確実に防止することができる。
【００２３】
加えて、コードが外装部材によって覆われているため、複数本のコードを束ねて所定のチューブに挿入するような面倒な作業を行う必要がなくなり（因みに、コードが外部に露出している場合、複数本のコードを束ねてチューブに入れることが行われる）、その分部品コストの削減を図ることができる。
【００２４】
請求項２記載の発明によれば、外装部材は、装置本体の上面における原稿給送装置より背面側に設けられたコードを通す本体側開口および前記原稿給送装置の背面に設けられたコードを通す原稿給送装置側開口の双方を覆うため、これらの開口が外部に露出することによる見苦しさを解消することができる。また、外装部材は、原稿給送装置が開放された状態で原稿給送装置側開口に相対的に嵌り込むように形状設定されているため、外観視の見栄えの良さを確保した上で、外装部材が原稿給送装置と干渉して原稿給送装置を開放し得なくなるような不都合の発生を防止することができる。
【００２５】
請求項３記載の発明によれば、本体側開口は、装置本体の縁部に沿って横長に形成されているため、当該本体側開口を装置本体内から引出されたコードを無理なく通し得るものにすることができるとともに、開閉操作で変化するコードの姿勢を無理なく受容することができ、原稿給送装置が開閉操作されることにより外装部材で覆われたコードの無理な変形が回避され、コードの損傷を有効に防止することができる。
【００２６】
また、外装部材は、これを本体側開口および原稿給送装置側開口に対応し得るように逆Ｔ字状またはＬ字状に形状設定されているため、原稿給送装置の開放によって外装部材を原稿給送装置側開口内に逃し得るようにすることが可能になり、原稿給送装置を外装部材との干渉で開放し得なくなるような不具合の発生を回避することができる。
【００２７】
請求項４記載の発明によれば、外装部材を装置本体から取り外した状態で、原稿給送装置から引き延ばされたコードの接続端子を装置本体側のコネクタに接続することにより、原稿給送装置を装置本体に対して電気的に容易に接続することができるため、原稿給送装置と装置本体との電気的な接続作業が容易になり、画像形成装置の組み付け効率を向上させることができる。
【発明を実施するための最良の形態】
【００２８】
まず、図１を基に本発明に係る複写機（画像形成装置）１０の内部構造の概要について説明する。図１は、本発明に係る複写機１０の内部構造の一実施形態を示す断面視の概略説明図である。この図に示すように、複写機１０は、箱形を呈する装置本体１１の上部に、原稿画像を読み取る原稿読取部１２が設けられているとともに、装置本体１１内における原稿読取部１２より下方位置に、原稿読取部１２によって読み取られた原稿の画像情報に基づき画像を形成する画像形成部１３と、この画像形成部１３によって形成され、用紙に転写された画像に定着処理を施す定着部１４と、転写用の用紙を貯留する用紙貯留部１５とが内装されることによって構成されている。
【００２９】
前記原稿読取部１２は、装置本体１１の上面に開閉可能に設けられた原稿給送装置２０と、装置本体１１内でコンタクトガラス２３を介して原稿給送装置２０と対向配置された光学系ユニット１２１とを備えて構成されている。コンタクトガラス２３は、載置された原稿の原稿面を読み取るための、原稿給送装置２０より若干小さい平面形状を有する載置原稿用コンタクトガラス２３１と、自動給紙された原稿の原稿面を読み取る前後方向に長尺の細長い自動給紙用コンタクトガラス２３２とを備えている。
【００３０】
かかる原稿読取部１２の前側の装置本体１１上面には、原稿読み取りや複写処理等に関する処理条件を入力操作するための操作パネル１２２が設けられている。この操作パネル１２２は、処理装置本体１１の前部上面に配設され、図略の表示パネルやテンキー、さらにはスタートボタン、モード切換えキー等が設けられている。表示パネルは、各種の入力情報や出力情報を液晶表示したり、表示された処理条件の内で選択したものについてタッチイン操作で入力したりるするものである。また、前記テンキーは、コピー枚数などの主に数量情報を設定するためのものである。モード切換えキーは、複写機１０のモードを切り換えるためのものであり、このモード切換えキーの押釦操作で複写機１０をファクシミリ装置として利用したり、プリンタとして利用したりすることができるようになっている。
【００３１】
前記原稿給送装置２０は、装置本体上面の一側辺に設けられた後述の連結軸６２回りに回動して開閉可能に装置本体１１に取り付けられている。かかる原稿給送装置２０は、二段構造で構成され、上段に設けられた原稿を載置するための原稿トレイ２１と、下段に設けられた画像読み取り済の原稿が排紙される原稿排紙トレイ２２とを有している。原稿給送装置２０の左側部には、原稿トレイ２１と原稿排紙トレイ２２との間に介設された原稿送り部２４が形成され、この原稿送り部２４に設けられた図略の原稿送り機構によって原稿トレイ２１上に載置された用紙束から１枚ずつの原稿がピックアップされて自動給紙用コンタクトガラス２３２へ供給される。ピックアップされた原稿は、移動されながらこの自動給紙用コンタクトガラス２３２を介して光学系ユニット１２１によリ原稿面が読み取られるようになっている。原稿画像が読み取られた後の原稿は、原稿排紙トレイ２２へ排紙される。
【００３２】
光学系ユニット１２１は、図略の光源や複数のミラー、レンズユニット、さらにはＣＣＤ（ｃｈａｒｇｅ  ｃｏｕｐｌｅｄ  ｄｅｖｉｃｅ）等を有している。そして、光源からの光が原稿面で反射され、この反射光がこれらミラーおよびレンズユニットを介して原稿情報としてＣＣＤに入力されるようになっている。ＣＣＤに入力されたアナログ量としての原稿情報は、デジタル信号に変換され、デジタルの原稿情報として所定の記憶装置に記憶されるようになっている。
【００３３】
前記画像形成部１３は、用紙貯留部１５から給紙された用紙にトナー画像を形成させるものであり、本実施形態では、上流側（図１の紙面の右側）から下流側へ向けて順次配設されたイエロー用ユニット１３Ｙと、マゼンタ用ユニット１３Ｍと、シアン用ユニット１３Ｃと、ブラック用ユニット１３Ｋとを有している。
【００３４】
各ユニット１３Ｙ，１３Ｍ，１３Ｃ，１３Ｋには、感光体ドラム１３１および現像装置１３２がそれぞれ備えられている。各感光体ドラム１３１は、図１において時計方向へ向けて回転しつつ対応した現像装置１３２からトナーの供給を受けるようになっている。
【００３５】
各感光体ドラム１３１の図１における上方左寄りの位置には帯電部１３３がそれぞれ設けられているとともに、同上方右寄りの位置には露光部１３４がそれぞれ設けられている。そして、各感光体ドラム１３１は、前記帯電部１３３によって周面が一様に帯電され、原稿読取部１２で入力された画像データに基づくレーザー光が前記各露光部１３４から帯電後の感光体ドラム１３１の周面に照射されることにより、各感光体ドラム１３１の周面に静電潜像が形成されるようになっている。かかる静電潜像に現像装置１３２からトナーが供給されることにより、感光体ドラム１３１の周面にトナー像が形成されるようになっている。
【００３６】
また、各感光体ドラム１３１の図１における左方下部位置には感光体ドラム１３１の周面の残留トナーを除去してクリーニングするクリーニング装置１３５が設けられている。クリーニング装置１３５によって清浄化処理された感光体ドラム１３１の周面は、新たな帯電処理のために帯電部１３３へ向かうことになる。
【００３７】
各感光体ドラム１３１の下方位置には、搬送面が各感光体ドラム１３１と対向するように配設された搬送ベルト１３６が設けられている。この搬送ベルト１３６は、ブラック用ユニット１３Ｋの若干下流側に設けられた駆動ローラ１３７と、イエロー用ユニット１３Ｙの若干上流側に設けられた従動ローラ１３８とに掛け回され、駆動ローラ１３７の駆動回転によって周回するようになっている。そして、用紙貯留部１５から供給された用紙は、この搬送ベルト１３６の周回に誘導されて感光体ドラム１３１の周面に当接しながら移動し、転写処理が施されるようになっている。
【００３８】
前記定着部１４は、画像形成部１３で転写された用紙上のトナー像に対し定着処理を施すものであり、上下で対向配置されたヒートローラ１４１と加圧ローラ１４２とを備えている。搬送ベルト１３６の周回によって画像形成部１３から導出された転写処理済の用紙は、これらヒートローラ１４１および加圧ローラ１４２間で加熱されつつ押圧挟持されることによる熱処理でトナー画像が定着され、用紙上に安定したカラー画像が形成される。定着処理の完了したカラー画像付の用紙は、排紙搬送路１０２を通って装置本体１１の左側壁から突設された排紙トレイ１０１へ向けて排出される。
【００３９】
前記用紙貯留部１５は、装置本体１１に挿脱自在に装着された複数段の用紙トレイ１５１を有している。各用紙トレイ１５１には、それぞれ用紙束が貯留されるようになっている。そして、選択された用紙トレイ１５１の用紙束からピックアップローラ１５２の駆動で用紙Ｐが１枚ずつ繰り出され、給紙搬送路１５３を通って画像形成部１３へ導入されるようになっている。
【００４０】
また、本実施形態の複写機１０においては、装置本体１１内に用紙Ｐに対して両面印刷を行うための用紙反転部１６が設けられている。この用紙反転部１６は、画像形成部１３と用紙貯留部１５との間に介設された、片面に定着処理後の画像を有する用紙Ｐを一時的に貯留する中間トレイ１６１と、定着部１４の直下流位置に設けられ、定着処理後の用紙Ｐに対して排紙搬送路１０２および返送搬送路１０３のいずれか一方に用紙Ｐを振り分ける切換ガイド１６２と、一旦中間トレイ１６１に排紙された用紙Ｐを後端側から排紙する反転ローラ対１６３とを備えている。
【００４１】
そして、前記切換ガイド１６２の切り換え操作によって返送搬送路１０３および反転ローラ対１６３を介して一旦中間トレイ１６１へ排紙された用紙Ｐは、反転ローラ対１６３の逆回転によって後端側から排出され、反転搬送路１０４を通って給紙搬送路１５３へ向わせられるようになっている。この給紙搬送路１５３へ供給された表裏反転後の用紙Ｐは、再度画像形成部１３へ供給されることにより裏面側に対して転写処理が施されることになる。
【００４２】
以下、図２〜図５を基に装置本体１１と原稿給送装置２０との間に介設された接続コードの覆い構造について説明する。図２〜図４は、複写機上部の背面視の斜視図であり、図２は、閉止された原稿給送装置２０と装置本体１１の間からカバー体４０が外された状態、図３は、閉止された原稿給送装置２０と装置本体１１との間にカバー体４０が装着された状態、図４は、カバー体４０が装着された状態で原稿給送装置２０が開放された状態をそれぞれ示している。また、図５は、複写機上部の正面視の斜視図であり、原稿給送装置２０が開放された状態を示している。なお、これらの図において、Ｘ−Ｘ方向を幅方向、Ｙ−Ｙ方向を前後方向といい、特に−Ｘ方向を左方、＋Ｘ方向を右方、−Ｙ方向を前方、＋Ｙ方向を後方という。
【００４３】
原稿給送装置２０は、前述したように、原稿トレイ２１と、原稿排紙トレイ２２と、原稿送り部２４とを備えた基本構成を有している。かかる原稿給送装置２０は、上面に原稿排紙トレイ２２が形成される原稿給送装置本体３０を有している。
【００４４】
この原稿給送装置本体３０は、平面視で略矩形状を呈し、前面側に設けられた所定上下寸法の前面板３１（図５）と、左右の側面に設けられた幅方向一対の側板３２と、背面側に設けられた背面板部３３とを備えている。これら前面板３１、一対の側板３２および背面板部３３に囲繞された上面左方位置に前記原稿排紙トレイ２２が形成されているとともに、この原稿排紙トレイ２２の上方位置に原稿トレイ２１が形成され、これら原稿トレイ２１および原稿排紙トレイ２２の右方位置に原稿送り部２４が形成されている。
【００４５】
また、原稿給送装置本体３０は、図５に示すように、その底面に前記載置原稿用コンタクトガラス２３１と対向した原稿押え板３４を有しているとともに、この原稿押え板３４に隣設された前後方向に長尺の自動給紙押え部材３５を有している。この自動給紙押え部材３５は、前記自動給紙用コンタクトガラス２３２と対向して設けられ、原稿送り部２４から排紙口２４１を介して自動給紙用コンタクトガラス２３２へ送り込まれた原稿を当該自動給紙用コンタクトガラス２３２に確実に対向させるためのものである。そして、原稿給紙装置２０が閉止された状態で、自動給紙押え部材３５と自動給紙用コンタクトガラス２３２との間には原稿が通過し得るギャップが形成されるようになされている。
【００４６】
前記背面板部３３は、装置本体１１の幅寸法より若干短めで幅方向に長尺に形成され、装置本体１１の背面より若干前方寄りに位置設定された背面板３３１（図２）、および前記原稿押え板３４と面一の底板３３４（図５）を有している。前記背面板３３１には、下縁部から切り欠かれることによって形成した幅方向一対の背面板切欠き窓３３２が設けられているとともに、これら一対の背面板切欠き窓３３２間に背面板３３１の下縁部から切り欠かれることによって形成した上下方向に長尺の逃し窓（原稿給送装置側開口）３３３が設けられている。前記逃し窓３３３は、原稿給送装置２０が開放された状態で、後述するカバー体４０が原稿給送装置２０の背面板３３１と干渉するのを避けるためのものである。
【００４７】
一方、装置本体１１の上面には、前記コンタクトガラス２３が装着されるとともに、原稿読み取り用の光源やミラーユニット、さらにはＣＣＤ等が内装されるガラス支持台５０が固定されている。このガラス支持台５０は、平面視で装置本体１１と略同一寸法の矩形状に形成されている。
【００４８】
かかるガラス支持台５０が装置本体１１の上面に固定された状態で、装置本体１１の上面には、ガラス支持台５０の後面板５１より後方部分に装置本体１１の略全幅長に亘る棚板部１１０が形成されている。
【００４９】
前記各背面板切欠き窓３３２には、その左右縁部および上縁部から内方および外方に向って突出した門型部材３６が設けられている。各門型部材３６は、幅方向で互いに対向した一対の門柱部３６１と、これら一対の門柱部３６１の上縁部間に架設された梁部３６２とからなっている。かかる門型部材３６が背面板切欠き窓３３２の縁部に固定されることによって、背面板切欠き窓３３２を形成するために大きく切り欠かれた背面板３３１が補強されている。
【００５０】
前記ガラス支持台５０の天板５２には、原稿給送装置２０の前記各背面板切欠き窓３３２に対応した位置が若干凹没されることによって形成した装着凹部５４１が凹設されている。そして、前記各装着凹部５４１の底部には、背面視でＵ字形状を呈したブラケット６０がねじ止めその他で固定されている。このブラケット６０は、幅方向で互いに対向した対向板６１（図５参照）と、これら一対の対向板６１を摺接状態で貫通した連結軸（回動支点）６２とを有している。この連結軸６２の両端部が前記門型部材３６の一対の門柱部３６１に穿設された孔に回動自在に嵌入されることによって、原稿給送装置２０がブラケット６０を介して連結軸６２回りに回動自在に装置本体１１に連結されるようになっている。
【００５１】
また、前記原稿給送装置２０の天板５２、ガラス支持台５０の後面板５１および装置本体１１の棚板部１１０には、これらを連通した状態で前記逃し窓３３３に対応したコード挿通開口４０１が設けられている。前記コード挿通開口４０１は、装置本体１１内の電気機器と原稿給送装置２０内の電気機器とを互いに接続するために配線される接続コードＣを通すためのものであり、後面板５１および天板５２に亘って形成された角開口４０２と、この角開口４０２と連通するように棚板部１１０の上面に形成された、幅方向に長尺の長尺開口（本体側開口）４０３とからなっている。
【００５２】
なお、図２では、接続コードＣとして複数本の各種のコードが束ねられた状態のものを示しているが、接続コードＣは、束ねられたものであることに限定されるものではなく、特に束ねられない状態であってもよい。その理由は、従来のように、接続コードＣが外部に露出している場合には、複数本のコードが束ねられないと、それぞれのコードがばらばらになって見苦しいばかりか、オペレータが引っ掛かりやすくなるため、これを防止するべく束ねられるのであるが、本発明においては、接続コードＣはカバー体４０によって覆われて見苦しさ等が解消されるため、特に束ねる必要がないからである。
【００５３】
前記長尺開口４０３の左右の端部には、後面板５１および棚板部１１０と一体に形成された側面視で略正方形状を呈する幅方向一対の側部カバー片４０４が設けられている。かかる各側部カバー片４０４の対向面には、外縁部から１段下がった状態で形成された段差部４０４ａが設けられている。
【００５４】
かかるコード挿通開口４０１には、本発明に係るカバー体４０が着脱自在に装着されるようになっている。図６は、カバー体４０の一実施形態を示す斜視図であり、（イ）は、表面側から見た図、（ロ）は、裏面側から見た図である。カバー体（外装部材）４０は、本実施形態においては、硬質の合成樹脂材料によって形成され、図６に示すように、長手方向に延びる折れ線に沿って略直角に折れ曲がった状態の長尺アングル部４１と、この長尺アングル部４１の図６（イ）における右側部（図６（ロ）における左側部）から上方に向けて突設された短尺アングル部４２と、この短尺アングル部４２に立設された立設部４３とからなっている。
【００５５】
前記長尺アングル部４１は、前記一対の側部カバー片４０４間に装着されるものであり、一対の側部カバー片４０４間の内寸法より僅かに短めに長さ設定されている。かかる長尺アングル部４１は、垂直板４１１と、この垂直板４１１の上縁部から略直角に折れ曲がった状態の水平板４１２とからなっている。かかる長尺アングル部４１が一対の側部カバー片４０４間に嵌め込まれることにより、垂直板４１１および水平板４１２の端縁部が側部カバー片４０４の段差部４０４ａ（図２）に当止し、これによって長尺アングル部４１は嵌り止め状態で、図３に示すように、一対の側部カバー片４０４間に装着されるようになっている。
【００５６】
また、前記水平板４１２には、一方の端面（図６の（イ）に示す例では左方の端面）に半球状の一対の係止突起４１３が突設されているとともに、これら一対の係止突起４１３間に水平板４１２の上縁部から斜めに切り欠かれることによって形成した抉り溝４１４が設けられている。そして、長尺アングル部４１を一対の側部カバー片４０４間に嵌め込むに際し、水平板４１２を側部カバー片４０４に向けて押圧することにより、係止突起４１３が側部カバー片４０４を外方に向けて弾性変形させながら長尺アングル部４１が側部カバー片４０４間に嵌り込むことになる。そして、側部カバー片４０４間に装着された長尺アングル部４１は、弾性変形した一対の側部カバー片４０４によって押圧挟持されて装着状態が安定する。
【００５７】
長尺アングル部４１を側部カバー片４０４間から外すに際しては、ドライバー等の工具の先端を抉り溝４１４に差し込んで抉ればよい。これによる一対の側部カバー片４０４間の拡幅で長尺アングル部４１を側部カバー片４０４間から容易に取り出すことができる。
【００５８】
前記短尺アングル部４２は、コード挿通開口４０１における後面板５１と天板５２との角部に形成された角開口４０２に嵌め込むためのものであり、垂直板４２１と、水平板４２２とからなっている。これら垂直板４２１および水平板４２２は、長尺アングル部４１が一対の側部カバー片４０４間に装着された状態で、後面板５１および天板５２とそれぞれ面一になるように寸法設定されている。
【００５９】
前記立設部４３は、原稿給送装置２０の背面板部３３に形成された逃し窓３３３に嵌め込まれるものであり、短尺アングル部４２の垂直板４２１と面一の上下方向に長尺な垂直板４３１と、この垂直板４３１から短尺アングル部４２の水平板４２２を横断するように突設された幅方向一対の側板４３２と、これら垂直板４３１および一対の側板４３２の上縁部に架設された天板４３３とからなっている、一対の側板４３２間の外寸法は、前記原稿給送装置本体３０の逃し窓３３３の幅寸法より僅かに短めに寸法設定されている。
【００６０】
かかる立設部４３は、上下寸法が前記逃し窓３３３の上下寸法より僅かに短く寸法設定され、これによって長尺アングル部４１が一対の側部カバー片４０４間に装着された状態で、図３に示すように、前縁部が逃し窓３３３に嵌り込むようになっている。
【００６１】
また、立設部４３の天板４３３は、垂直板４３１の上縁部に向けて先下がりに傾斜した傾斜面４３３ａを有しており、この傾斜面４３３ａの存在で閉止状態の原稿給送装置２０（図３）が連結軸６２回りに回動して開放されても、立設部４３の上縁部が逃し窓３３３の上縁部と干渉しないようになっている。
【００６２】
そして、本発明においては、装置本体１１内の電気機器と原稿給送装置２０内の電気機器とを電気的に接続する接続コードＣが、図２に示すように、コード挿通開口４０１を介して配線され、この状態で、図３に示すように、カバー体４０が当該コード挿通開口４０１に装着される。したがって、接続コードＣは、カバー体４０に覆われることによって外部から全く見えないようになっており、接続コードＣが外部に露出していることで複写機１０の見栄えが悪くなるような不都合が生じない。
【００６３】
また、閉止状態の原稿給送装置２０を開放しても、原稿給送装置２０の逃し窓３３３がカバー体４０の立設部４３に覆い被さっていくだけであり、原稿給送装置２０の背面板部３３がカバー体４０と干渉することはなく、原稿給送装置２０の正常な開閉操作を確保することができるばかりか、原稿給送装置２０が閉止状態であるか開放状態であるかに拘らず接続コードＣが外部に露出することがない。
【００６４】
また、図２に示す例では、原稿給送装置２０内の各種機器と、装置本体１１内の各種機器との電気的な接続は、装置本体１１内で長尺開口４０３に臨むように配設された基板Ｂを介して行われるようになっている。具体的には、基板Ｂの上縁面であって、装置本体１１の長尺開口４０３に望む位置にコネクタＢ１が設けられている一方、原稿給送装置２０から引き延ばされた接続コードＣの先端には接続端子Ｃ１が設けられ、カバー体４０が開放された状態で接続端子Ｃ１のコネクタＢ１に対する接続および接続解除操作が行われるようになっている。
【００６５】
このように、長尺開口４０３の直下にコネクタＢ１が位置するように基板Ｂを装置本体１１内に配置することにより、接続コードＣと基板Ｂとの接続操作や接続解除操作をカバー体４０を開放することによって行うことが可能になり、装置本体１１の外装板等を外さなければ接続操作等を行い得なかった従来の電気的接続構造と比べて複写機１０の組み付け作業やメンテナンス作業の作業性が向上する。
【００６６】
また、本実施形態においては、ガラス支持台５０の天板５２の後方側であって、カバー体４０の立設部４３と対向した部分に、図５に示すような目隠し片５３が立設され、この目隠し片５３によって原稿給紙装置２０が開放された状態でカバー体４０の立設部４３の内側が目隠しされるようにしている。かかる目隠し片５３を設けることによって、原稿給紙装置２０が開放された状態でオペレータからカバー体４０内の接続コードＣを見えないようにすることができる。
【００６７】
以上詳述したように、本発明の複写機１０は、内部に画像形成部１３を備えた装置本体１１と、この装置本体１１の上面に原稿を給紙する開閉可能な原稿給送装置２０とを備えてなるものであり、原稿給送装置２０の装置本体１１に対する回動支点近傍に両者を電気的に接続する接続コードＣが配線され、接続コードＣは、カバー体４０によって覆われているため、従来の接続コードＣが外部に露出している場合に比べて外観視が見苦しくなるような不都合が解消され、これによって複写機１０の見栄えを良好にすることができる。
【００６８】
また、カバー体４０が保護部材としての役割を果たすため、原稿給送装置２０を開閉しても、カバー体４０に保護された接続コードＣは、複写機１０の設置位置における周りの壁面など、周りの環境に対して擦過することが防止されるため、かかる擦過で接続コードＣが破損するような不都合の発生を確実に防止することができる。
【００６９】
さらに、オペレータが外部に露出した接続コードＣに引っ掛かって接続コードＣの先端の接続端子と装置本体１１あるいは原稿給送装置２０の接続端子との接続状態が不良になったり、接続コードＣが外れてしまったり、さらには接続コードＣが断線するような不具合の発生をも確実に防止することができる。
【００７０】
加えて、接続コードＣがカバー体４０によって覆われているため、従来行われていたような、複数本のコードを束ねて所定のチューブに挿入するような面倒な作業を行う必要がなくなり、その分複写機１０の組み付け作業の効率化を達成することができる。
【００７１】
また、装置本体１１の上面における原稿給送装置２０より背面側に接続コードＣを通す長尺開口４０３が設けられている一方、原稿給送装置２０の背面には、長尺開口４０３に対応して接続コードＣを通す逃し窓３３３が設けられ、カバー体４０は、長尺開口４０３を覆うとともに、原稿給送装置２０が開放された状態で逃し窓３３３に相対的に嵌り込むように形状設定されているため、カバー体４０は、装置本体１１の上面における原稿給送装置２０より背面側に設けられた接続コードＣを通す長尺開口４０３および原稿給送装置２０の背面に設けられた接続コードＣを通す逃し窓３３３の双方を覆い、これによってこれら逃し窓３３３および長尺開口４０３が外部に露出することによる見苦しさを解消することができる。
【００７２】
また、カバー体４０は、原稿給送装置２０が開放された状態で逃し窓３３３に相対的に嵌り込むように形状設定されているため、外観視の見栄えの良さを確保した上で、カバー体４０が原稿給送装置２０と干渉して原稿給送装置２０を開放し得なくなるような不都合の発生を防止することができる。
【００７３】
さらに、長尺開口４０３は、装置本体１１の縁部に沿って横長に形成されている一方、逃し窓３３３は、縦長に形成され、カバー体４０は、これら長尺開口４０３および逃し窓３３３に対応し得るように逆Ｔ字状またはＬ字状に形状設定されているため、長尺開口４０３を装置本体１１内から引出された接続コードＣを無理なく通し得るものにすることができるとともに、開閉操作で変化する接続コードＣの姿勢変更を無理なく受容することができ、原稿給送装置２０が開閉操作されることによりカバー体４０で覆われた接続コードＣの無理な変形が回避され、接続コードＣの損傷を有効に防止することができる。
【００７４】
また、カバー体４０は、これを長尺開口４０３および逃し窓３３３に対応し得るように逆Ｔ字状またはＬ字状に形状設定されているため、原稿給送装置２０の開放によってカバー体４０を逃し窓３３３内に逃し得るようにすることが可能になり、原稿給送装置２０をカバー体４０との干渉で開放し得なくなるような不具合の発生を回避することができる。
【００７５】
また、装置本体１１内には、長尺開口４０３に臨む位置に接続コードＣの接続端子Ｃ１が接続される制御用の基板ＢのコネクタＢ１が設けられているため、カバー体４０を装置本体１１から取り外した状態で、原稿給送装置２０から引き延ばされた接続コードＣの接続端子Ｃ１をコネクタＢ１に接続することにより、原稿給送装置２０を、基板Ｂを介して装置本体１１と電気的に接続することができ、複写機１０の組み付け効率を向上させることができる。
【００７６】
本発明は、上記の実施形態に限定されるものではなく、以下の内容をも包含するものである。
【００７７】
（１）上記の実施形態においては、カバー体４０が装置本体１１側に着脱自在に装着されるようになっているが、こうする代わりにカバー体４０を原稿給送装置２０側に着脱自在に装着するようにしてもよい。但し、この場合は、処理装置本体１１側に原稿給送装置２０の逃し窓３３３に相当する逃し窓を設ける必要がある。
【００７８】
（２）上記の実施形態において、カバー体４０として蛇腹式のものを採用してもよい。こうすることによって、原稿給送装置２０の開閉に対し蛇腹の伸縮で対応することが可能になるため、装置本体１１と原稿給送装置２０との間に介設される接続コードの覆い構造を簡単なものにすることができる。
【００７９】
（３）上記の実施形態においては、カバー体４０が原稿給送装置本体３０における一対の背面板切欠き窓３３２間に設けられているが、本発明は、カバー体４０が原稿給送装置本体３０における一対の背面板切欠き窓３３２間に設けられることに限定されるものではなく、いずれか一方の背面板切欠き窓３３２の外側位置に設けてもよい。
【図面の簡単な説明】
【００８０】
【図１】本発明に係る複写機の内部構造の一実施形態を示す断面視の概略説明図である。
【図２】複写機上部の背面視の斜視図であり、閉止された原稿給送装置と装置本体との間からカバー体が外された状態を示している。
【図３】複写機上部の背面視の斜視図であり、閉止された原稿給送装置と装置本体との間にカバー体が装着された状態を示している。
【図４】複写機上部の背面視の斜視図であり、カバー体が装着された状態で原稿給送装置本体が開放された状態をそれぞれ示している。
【図５】複写機上部の正面視の斜視図であり、原稿給送装置が開放された状態を示している。
【図６】カバー体の一実施形態を示す斜視図であり、（イ）は、表面側から見た図、（ロ）は、裏面側から見た図である。
【符号の説明】
【００８１】
１０  複写機（画像形成装置）  １０１  排紙トレイ
１０２  排紙搬送路            １０３  返送搬送路
１０４  反転搬送路            １１  装置本体
１１０  棚板部                １２  原稿読取部
１２１  光学系ユニット        １２２  操作パネル
１３  画像形成部              １３Ｙ  イエロー用ユニット
１３Ｍ  マゼンタ用ユニット    １３Ｃシアン用ユニット
１３Ｋ  ブラック用ユニット    １３１  感光体ドラム
１３２  現像装置              １３３  帯電部
１３４  露光部                １３５  クリーニング装置
１３６  搬送ベルト            １３７  駆動ローラ
１３８  従動ローラ            １４  定着部
１４１  ヒートローラ          １４２  加圧ローラ
１５  用紙貯留部              １５１  用紙トレイ
１５２  ピックアップローラ    １５３  給紙搬送路
１６  用紙反転部              １６１  中間トレイ
１６２  切換ガイド            １６３  反転ローラ対
２０  原稿給送装置            ２１  原稿トレイ
２２  原稿排紙トレイ          ２３  コンタクトガラス
２３１  載置原稿用コンタクトガラス
２３２  自動給紙用コンタクトガラス
２４  原稿送り部              ３０  原稿給送装置本体
３１  前面板                  ３２  側板
３３  背面板部                ３３１  背面板
３３２  背面板切欠き窓        ３３３  逃し窓（原稿給送装置側開口）
３４  原稿押え板      ３５  自動給紙押え部材
３６  門型部材                ３６１  門柱部
３６２  梁部                  ４０  カバー体（外装部材）
４０１  コード挿通開口        ４０２  角開口
４０３  長尺開口（本体側開口）
４０４  側部カバー片          ４０４ａ  段差部
４１  長尺アングル部          ４１１  垂直板
４１２  水平板                ４１３  係止突起
４１４  抉り溝                ４２  短尺アングル部
４２１  垂直板                ４２２  水平板
４３  立設部                  ４３１  垂直板
４３２  側板                  ４３３  天板
４３３ａ  傾斜面              ５０  ガラス支持台
５１  後面板                  ５２  天板
５３  目隠し片                ６０  ブラケット
６１  対向板                  ６２  連結軸（回動支点）
Ｃ  接続コード                Ｃ１  接続端子
Ｂ  基板                      Ｂ１  コネクタ
【図１】
2005300796.tif 000003
【図２】
2005300796.tif 000004
【図３】
2005300796.tif 000005
【図４】
2005300796.tif 000006
【図５】
2005300796.tif 000007
【図６】
2005300796.tif 000008